(57)【特許請求の範囲】
【請求項１】
複数の竿体が振出式に連結された竿体の連結構造であって、第１竿体と、前記第１竿体内に収納可能に第１竿体の穂先側に連結されている第２竿体とを有する第１竿体ユニットと、第３竿体と、前記第３竿体内に収納可能に第３竿体の穂先側に連結されている第４竿体とを有する第２竿体ユニットとを備え、前記第２竿体ユニットは、前記第１竿体と前記第２竿体または前記第３竿体と前記第４竿体の連結より弱い連結力で、前記第１竿体ユニット内に収納可能なように第１竿体ユニットの穂先側に連結されている、竿体の連結構造。
【請求項２】
前記第２竿体及び第４竿体は竿元側端部に雄ネジ部を有し、前記第１竿体及び第３竿体は穂先側端部に前記雄ネジ部と螺合する雌ネジ部を有している、請求項１に記載の竿体の連結構造。
【請求項３】
前記第１竿体及び第３竿体は穂先側端部の内周壁面の少なくとも一部に凹部を有し、前記第２竿体及び第４竿体は竿元側端部に設けられ前記凹部と噛み合う噛合部を有している、請求項１に記載の竿体の連結構造。
【請求項４】
前記噛合部は、前記第２及び第４竿体の竿元側の端面に固定されると共に外周面に孔を有する中空の本体部と、前記本体部内に設けられた弾性体と、前記本体部内に設けられると共に前記弾性体の弾性変形に応じて前記本体部の孔を通して出没可能な突起部とを有している、請求項３に記載の竿体の連結構造。
【請求項５】
前記第２竿体ユニットは竿元側端部に嵌合雄部を有し、前記第１竿体ユニットは前記嵌合雄部が嵌合する嵌合雌部を穂先側先端に有している、請求項１から４のいずれかに記載の竿体の連結構造。
【請求項６】
前記嵌合雄部及び嵌合雌部の少なくとも一方は弾性部材を有する、請求項５に記載の竿体の連結構造。
【請求項７】
前記嵌合雄部及び嵌合雌部の少なくとも一方は毛状部材を有する、請求項５に記載の竿体の連結構造。
【請求項８】
前記第２竿体及び第４竿体は竿元側端面に弾性部材を有している、請求項１〜７のいずれかに記載の竿体の連結構造。
【請求項９】
前記第１竿体及び第３竿体は穂先側端面に弾性部材を有している、請求項１〜７のいずれかに記載の竿体の連結構造。
【請求項１０】
前記第１竿体ユニットは外周面に１の色が着色されており、前記第２竿体ユニットは外周面に他の色が着色されている、請求項１〜９のいずれかに記載の竿体の連結構造。
【発明の詳細な説明】
【０００１】
【発明の属する技術分野】
本発明は、複数の竿体を順次収納可能に連結した振出式釣竿の竿体の連結構造に関する。
【０００２】
【従来の技術】
鮎釣りや渓流釣りに用いる釣竿（以下、「渓流竿」という）は、例えば、１２〜１４節程度の竿体を竿元側の竿体に順次収納可能なように連結されている。そして、穂先側先端に釣糸を係止する釣糸係止部が設けられている。
この渓流竿において、十分な長さの釣糸を用いて釣りを行う場合（以下、「通常釣り」という。）全ての竿体を引きだして最も長く伸ばした状態で魚釣りを行う。一方、竿体全体の長さに対して極端に短い長さの釣糸を用いて行う釣り（以下、「ちょうちん釣り」という）を行う場合、釣糸の先端に連結されている仕掛けに餌を取付ける際や、仕掛けにかかった魚を取り込む際、数個の竿体を収納して適当な長さに縮めた状態で操作を行う。また、釣りを終えて渓流竿を持ち運ぶ場合は、全ての竿体を収納して１節分の竿体の長さに縮めてコンパクトな状態にする。
【０００３】
【発明が解決しようとする課題】
上記渓流竿で「ちょうちん釣り」を行う場合、例えば、餌付けのために６節の竿体を収納して適当な長さにするためには、竿体の伸縮動作を５回繰り返す必要があり、素早く伸縮動作を行うことができない。ここで、１節分の竿体の長さを長くすれば少ない回数の伸縮動作で適当な長さに渓流竿を縮められるが、１節分の竿体があまり長いと、竿体の操作性が低下してしまう。また、１節分の竿体の長さに収納しても持ち運びが不便である。
【０００４】
本発明の課題は、少ない伸縮動作で竿体を伸縮させることができ、餌付けや魚の取り込みがスムーズに行える竿体の連結構造を提供することにある。
【０００５】
【課題を解決するための手段】
発明１にかかる竿体の連結構造は、複数の竿体が振出式に連結された竿体の連結構造であって、第１竿体と第１竿体内に収納可能に第１竿体の穂先側に連結されている第２竿体とを有する第１竿体ユニットと、第３竿体と第３竿体内に収納可能に第３竿体の穂先側に連結されている第４竿体とを有する第２竿体ユニットとを備えている。そして、第２竿体ユニットは、第１竿体と第２竿体または第３竿体と第４竿体の連結より弱い連結力で、第１竿体ユニット内に収納可能なように第１竿体ユニットの穂先側に連結されている。
【０００６】
この場合には、第１竿体ユニットの第１竿体と第２竿体は第１竿体ユニットと第２竿体ユニットとの連結力より強固に連結されており、竿体の長さ方向へ多少の力を加えても第２竿体が第１竿体内部に収納されないようになっている。また、第２竿体ユニットの第３竿体と第４竿体も、第１竿体ユニットと同様に、竿体の長さ方向へ多少の力を加えても第４竿体が第３竿体内部に収納されないようになっている。一方、第２竿体ユニットの竿元側の第３竿体は第１竿体ユニットの穂先側の第２竿体に第１竿体と第２竿体の連結力より弱い連結力で連結しており、竿体の長さ方向へ力を加えると、第２竿体ユニット全体が第１竿体ユニット全体の内部に出没可能になっている。この結果、竿体の長さ方向に力を加えて竿体を伸縮させようとすると、第１竿体と第２竿体及び第３竿体と第４竿体は伸縮することなく、第１竿体ユニット，第２竿体ユニットを１単位として少ない伸縮動作で手早く伸縮する。
【０００７】
なお、竿体収納時には、第２竿体を第１竿体内部に、第４竿体を第３竿体内部にそれぞれ収納できるようになっており、コンパクトな１節分の竿体の長さになる。
発明２にかかる竿体の連結構造は、発明１の連結構造であって、第２竿体及び第４竿体は竿元側端部に雄ネジ部を有し、第１竿体及び第３竿体は穂先側端部に雄ネジ部と螺合する雌ネジ部を有している。
【０００８】
この場合には、第２竿体を第１竿体から引きだした状態で、雄ネジ部を雌ネジ部に螺合させているので、竿体の長さ方向に多少の力を加えても第２竿体が第１竿体内部に出入りしない。また、第３竿体と第４竿体においても同様である。この結果、餌付け等のために竿体を伸縮させる際に、第２竿体及び第４竿体はそれぞれ第１竿体及び第３竿体内に収納されることなく、第１竿体ユニット，第２竿体ユニットを１単位として少ない伸縮動作で手早く伸縮する。
【０００９】
発明３にかかる竿体の連結構造は、発明１の連結構造であって、第１竿体及び第３竿体は穂先側端部の内周壁面の少なくとも一部に凹部を有し、第２竿体及び第４竿体は竿元側端部に設けられ凹部と噛み合う噛合部を有している。
この場合には、第２竿体，第４竿体をそれぞれ第１竿体，第３竿体から引き出した状態で噛合部が凹部に噛み合って、竿体の長さ方向に多少の力を加えても第２竿体，第４竿体がそれぞれ第１竿体，第３竿体内部に出入りしない。
【００１０】
発明４にかかる竿体の連結構造は、発明３の連結構造であって、噛合部は、第２及び第４竿体の竿元側の端面に固定されると共に外周面に孔を有する中空の本体部と、本体部内に設けられた弾性体と、本体部内に設けられると共に弾性体の弾性変形に応じて本体部の孔を通して出没可能な突起部とを有している。
この場合には、弾性体の有する弾性力によって突起部が本体部内から出入り可能になっている。第２竿体，第４竿体がそれぞれ第１竿体，第３竿体から引き出された状態で、突起部は本体収納部内周面の凹部と噛み合い、竿体の長さ方向に多少の力を加えても第２竿体，第４竿体がそれぞれ第１竿体．第３竿体内部に出入りしない。
【００１１】
発明５にかかる竿体の連結構造は、発明１〜４のいずれかの連結構造であって、第２竿体ユニットは竿元側端部に嵌合雄部を有し、第１竿体ユニットは嵌合雄部が嵌合する嵌合雌部を穂先側先端に有している。
この場合には、第２竿体ユニットを第１竿体ユニットから引き出した状態で嵌合雄部が嵌合雌部に嵌合して、第２竿体ユニットが第１竿体ユニットに連結する。
【００１２】
餌付け等を行う際に竿体の長さ方向に力を加えると、嵌合部分が外れて、第２竿体ユニットは第１竿体ユニット内に収納されて短くコンパクトな状態になる。発明６にかかる竿体の連結構造は、発明５の連結構造であって、嵌合雄部及び嵌合雌部の少なくとも一方は弾性部材を有している。
この場合には、竿体収納時に、嵌合雄部または嵌合雌部の少なくとも一方に設けられた弾性部材が竿体内部の対応する部分に接触し、互いに傷つけ合うのを抑える。
【００１３】
発明７にかかる竿体の連結構造は、発明５の連結構造であって、嵌合雄部及び嵌合雌部の少なくとも一方は毛状部材を有している。
この場合には、竿体収納時に、嵌合雄部または嵌合雌部の少なくとも一方に設けられた毛状部材が竿体内部の対応する部分に接触して互いに傷つけ合うのを有効に抑える。また、嵌合連結時に嵌合部ががたつくのも抑える。
【００１４】
発明８にかかる竿体の連結構造は、発明１〜７のいずれかの連結構造であって、第２竿体及び第４竿体は竿元側端面に弾性部材を有している。
この場合には、第１竿体と第２竿体とが連結している第１竿体ユニット内に、第３竿体と第４竿体とが連結している第２竿体ユニットを収納する場合に、弾性部材が、第２竿体及び第４竿体の竿元側端面に他の竿体の内周面が当たって互いに傷つけるのを抑える。
【００１５】
発明９にかかる竿体の連結構造は、発明１〜７のいずれかの連結構造であって、第１竿体及び第３竿体は穂先側端面に弾性部材を有している。
この場合には、第１竿体と第２竿体とが連結している第１竿体ユニット内から、第３竿体と第４竿体とが連結している第２竿体ユニットを引き出す場合に、弾性部材が、第３竿体の穂先側端面に第２竿体の竿元側端面が当たって互いに傷つけ合うのを抑える。
【００１６】
発明１０にかかる竿体の連結構造は、発明１〜９のいずれかの連結構造であって、第１竿体ユニットは外周面に１の色が着色されており、第２竿体ユニットは外周面に他の色が着色されている。
この場合は、第１竿体ユニットを構成する第１竿体及び第２竿体の外周面に１の色が着色されており、第２竿体ユニットを構成する第３竿体及び第４竿体の外周面に他の色が着色されている。この結果、ユーザは外観から第１竿体ユニットと第２竿体ユニットとを用意に識別でき、竿体の伸縮動作をよりスムーズに行える。
【００１７】
なお、第１竿体ユニット，第２竿体ユニットの外周面は着色して識別可能とするのみでなく、例えば、それぞれの竿体ユニットに所定の模様を付したり、所定の形状を施して識別可能にしてもよい。
【００１８】
【実施の形態】
［第１実施形態］
以下、本発明の第１実施形態について図面を参照しつつ説明する。
（全体構造）
本発明の第１実施形態を採用した振出式釣竿は、図１に示すように、筒状の第１竿体１と、第１竿体１の穂先側に順次収納可能なように連結されている第２竿体２〜第１２竿体１２とを有している。この第１竿体１〜第１２竿体１２は、それぞれ筒状の部材であって、穂先側に連結された他の竿体を収納することができる竿体収納部５００（図２及び図３参照）が設けられている。第１竿体１〜第１２竿体１２は、例えば、炭素繊維の強化繊維に樹脂を含浸させたシート状のプリプレグをマンドレルに巻回して形成したものである。また、後に詳しく説明するように、第１竿体１と第２竿体２とは互いに強固に連結可能になっており、第１竿体ユニット１００を構成している。同様に、第３竿体３及び第４竿体４は第２竿体ユニット２００を構成し、第５竿体５及び第６竿体６は第３竿体ユニット３００を構成している。
（第１竿体ユニット１００〜第３竿体ユニット３００の構造）
まず、第１竿体１と第２竿体２との連結構造（第１竿体ユニット１００の連結構造）について説明する。
【００１９】
図２に示すように、第１竿体ユニット１００は第１竿体１と第２竿体２とを有している。第１竿体１は、他の部分より小径に形成され竿体収納部５００に収納した第２竿体２が穂先側に抜け出るのを防止する抜止め部１ａを穂先側端部に有している。そして、抜止め部１ａの竿元側の内周面に雌ネジ部２０が設けられている。一方、第２竿体２は竿元側端部に他の部分より大径に形成され第１竿体１の雌ネジ部２０に螺合可能な雄ネジ部２１を有している。なお、第３竿体３と第４竿体４との連結構造（第２竿体ユニット２００の連結構造）及び第３竿体３と第４竿体４との連結構造（第３竿体ユニット３００の連結構造）は、第１竿体１及び第２竿体２と同様の構造を有しており、説明を省略する。
【００２０】
次に、第１竿体ユニット１００と第２竿体ユニット２００との連結構造について説明する。
図３に示すように、第２竿体ユニット２００の竿元側の第３竿体３は、竿元側端部に他の部分より大径に形成された嵌合雄部３１を有している。一方、第１竿体ユニット１００の穂先側の第２竿体２は、他の部分より小径に形成された嵌合雌部３０を穂先側端部に有している。この間合雌部３０は、内径が嵌合雄部３１の外形と一致している。
【００２１】
なお、第２竿体ユニット２００と第３竿体ユニット３００との連結構造も同様であり、説明を省略する。
（その他の竿体の構成）
第７竿体７〜第１１竿体１１は、それぞれ穂先側端部に設けられた嵌合雄部（図示せず）と、竿元側端部に設けられた嵌合雄部（図示せず）とを有している。そして、各嵌合雄部は竿元側に挿入可能に連結されている他の竿体の嵌合雌部の内周径に合致するように形成されており、他の竿体から最も穂先側に引き出した状態で嵌合固定可能になっている。また、最も穂先側の第１２竿体１２は竿元側端部に嵌合雄部を有し、穂先側端部には釣糸を係止する回転可能な毛糸状の釣糸係止部（図示せず）を有している。
（作用）
このように構成された渓流竿では、第１竿体１〜第１２竿体１２を順次引き出して嵌合固定し長く伸ばした状態でキャスティング，リトリーブ等を行う。特に、第１竿体ユニット１００内の第１竿体１と第２竿体２とにおいては、雄ネジ部２１を雌ネジ部２２に螺合させて強固に連結しているので、釣竿の長さ方向に多少の力を加えても、第２竿体２が第１竿体１内部に出入りしない。また、第２竿体ユニット２００及び第３竿体ユニット３００における第３竿体３と第４竿体４，第５竿体５と第６竿体６も同様である。
【００２２】
一方、釣糸先端の仕掛けに餌付けする場合や仕掛けにかかった魚を取り込む場合、渓流竿の長さ方向に力を加えて渓流竿全体の長さを適当な長さに縮める。ここで、第１竿体１及び第２竿体２（第１竿体ユニット１００）は雄ネジ部２１と雌ネジ部２２とを螺合して強固に固定されており第３竿体３及び第４竿体４（第２竿体ユニット２００），第５竿体５及び第６竿体６（第３竿体ユニット３００）も同様に強固に連結されている。このため、渓流竿の長さ方向に力を加えると、第１竿体ユニット１００〜第３竿体ユニット３００が１単位として伸縮する。
【００２３】
また、収納時には、雄ネジ部２１を回転させて雌ネジ部２２からはずして、第２竿体２を第１竿体１に収納し、同様に、第４竿体４を第３竿体３へ、第６竿体６を第５竿体５に収納する。この結果、第１竿体１〜第１２竿体１２までを全て１節単位で収納しコンパクトな状態になる。
以上のように、本発明の第１実施形態を採用した渓流竿では、雄ネジ部２１と雌ネジ部２２とにより強固に連結され軸方向に力を加えても伸縮しないように連結された竿体の連結構造と、嵌合雄部と嵌合雌部とにより嵌合固定され軸方向に力を加えると他の竿体内に出入り可能に連結された竿体の連結構造とを有しているので、少ない操作回数で釣竿の長さを所定の操作を行うのに適した長さにすることができる。
【００２４】
［第２実施形態］
以下、本発明の第２実施形態について、図面を参照しつつ説明する。
本発明の第２実施形態を採用した渓流竿では、図４に示すように、第１竿体ユニット１００を構成する第１竿体１が、穂先側先端に抜け止め部１ａを有している。この抜止め部１ａは、他の部分より小径に形成され、竿体収納部５００に挿入されている第２竿体２が穂先側に抜け出るのを防止する。そして、抜止め部１ａの竿元側の内周面に複数の凹部４５が設けられている。一方、第２竿体２は竿元側端部に他の部分よりやや大径に形成された噛合部４０を有している。
【００２５】
この噛合部４０は、図５に示すように、内部に空間を有した円柱状部材であって外周側面に複数の孔４１ａを有するＡＢＳ樹脂等の合成樹脂製の本体部４１と、本体部４１内部の空間に配置された弾性体４３と、弾性体４３上に本体部４１の孔４１ａから外方に向かって突出するように配置された複数の突起部４２とを有している。本体部４１は左右に縦割りされた１対の半割り部材からなっており、内部の所定の位置に突起部４２，弾性体４３を収納した後に、この１対の半割り部材を開口側で接着してなるものである。そして、第２竿体２の竿元側端部に接着され固定されている。突起部４２及び弾性体４３は、スチレン−ブタジエンゴム，ポリブタジエン，アクリルゴム，クロロプレンゴム等の合成ゴムを所定の形状に成形したものである。
【００２６】
なお、その他の構成は第１実施形態と同様であり、説明を省略する。
このように構成された渓流竿では、第１竿体１の凹部４５の位置に突起部４２がある場合、突起部４２は弾性体４３の弾性力により本体部４１から飛び出している。この飛び出した突起部４２が凹部４５と噛み合って第２竿体２を固定しており、長さ方向に多少の力を加えても第２竿体２は第１竿体１内の竿体収納部５００に収納されない。
【００２７】
そして、第２竿体２に対して長さ方向に大きな力を加えると、第２竿体２と共に噛合部４０も移動し、突起部５は第１竿体１の凹部４５からずれて、第１竿体１の内周面に接触する。この接触により突起部４２は本体部４１内方向に向かって力を受けることになる。突起部４２は弾性体４３条に配置されており、第１竿体１の内周面から受けた力は弾性体４３が吸収し、突起部３は本体部４１内に収納され、第２竿体２は第１竿体１内に挿入される。
【００２８】
以上のように、本発明の第２実施形態にかかる渓流竿では、噛合部４０が第１竿体１と第２竿体２とを強固に連結しているので、第１実施形態と同様の作用効果を奏する。
［第３実施形態］
以下、本発明の第３実施形態について説明する。
【００２９】
本発明の第３実施形態にかかる渓流竿の第３竿体３は、図６に示すように、穂先側端面にリング状の弾性部材６０を有している。また、第２竿体２及び第４竿体４も、それぞれ竿元側端面に弾性部材６１を有している。この弾性部材６０，６１は、スチレン−ブタジエンゴム，ポリブタジエン，アクリルゴム，クロロプレンゴム等の合成ゴムをそれぞれ竿体の端面に合致するように成形したものであって、接着剤で各竿体の端面に接着されている。
【００３０】
なお、その他の構成は第１実施形態と同様であり説明を省略する。
このように構成された渓流竿では、第１竿体ユニット１００内に第２竿体ユニット２００を出し入れする場合に、第２竿体ユニット２００の第３竿体３の穂先側端面が、第１竿体ユニット１００の内周面に接触して互いに傷つけ合うのを弾性部材６０が有効に抑える。また、第２竿体２及び第４竿体４の竿元側端面が、内部に挿入された他の竿体の外周面と接触して互いに傷つけ合うのを弾性部材６１が抑える。また、第１竿体ユニット１００内から第２竿体ユニットを引き出す場合、第１竿体ユニット１００の第２竿体２の竿元側端面と第２竿体ユニット２００の第３竿体３の穂先側端面とが接触して互いに傷つけあうのを、弾性部材６０，６１が有効に抑える。
【００３１】
なお、図７に示すように、第２竿体２及び第４竿体４の竿元側端面の内径側にそれぞれ切欠き部２ａ，４ａを設け、この切欠き部２ａ，４ａにそれぞれリング状の弾性部材７１をはめ込んでもよい。また、第３竿体３の穂先側端面の外周側に切欠き部３ａを設け、この切欠き部３ａにリング状の弾性部材７０をはめ込んでもよい。
【００３２】
［第４実施形態］
以下、本発明の第４実施形態について、図面を参照しつつ説明する。
本発明の第４実施形態を採用した渓流竿では、図８に示すように、第２竿体２の穂先側の嵌合雌部３０付近に毛状部材８０が設けられている。この毛状部材８０は、ナイロン等の合成樹脂繊維からなる部材であって、第２竿体２の穂先側の内周面に複数箇所設けられている。なお、嵌合雄部３１と嵌合雌部３０が形成され竿体同士を嵌合させて連結する他の竿体の連結部（例えば、第１２竿体１２と第１１竿体１１との連結部）にも、同様の毛状部材８０が設けられている。
【００３３】
その他の構成は第１実施形態と同様であり説明を省略する。
このように構成された渓流竿では、例えば、第２竿体２と第３竿体３との連結部分において、第２竿体の穂先側内周面に設けられた毛状部材８０が第２竿体２と第３竿体３との振動を吸収し、第２竿体２と第３竿体３との連結が安定する。さらに、第２竿体２の穂先側端部が第３竿体３の外周面と接触して第３竿体３の外周面を傷つけるのも抑える。さらにまた、第２竿体２と第３竿体３との嵌合がよりスムーズになる。
【００３４】
［他の実施形態］
（ａ）竿体ユニットの数は、３つに限定されるものではなく、任意の竿体ユニットを設けることができる。
（ｂ）第１竿体と第２竿体との連結を嵌合構造にして、第２竿体と第３竿体とで第１竿体ユニットを構成することもできる。
（ｃ）任意の数の竿体を用いることができる
（ｄ）嵌合雄部，嵌合雌部の少なくとも一方に弾性部材を設けることもできる。
（ｅ）第１竿体ユニットを構成する第１竿体及び第２竿体の外周面に所定の色を着色し、第２竿体ユニットを構成する第３竿体及び第４竿体の外周面に他の所定の色を着色してもよい。このような色を付すことで、ユーザは強固に連結している竿体の連結部と強固に連結していない竿体の連結部とを外観から容易に判断できる。なお、竿体外周面に所定の模様を付したり、所定の形状を施したりして竿体を識別可能にしてもよい。
【００３５】
【発明の効果】
本発明によれば、竿体通しが強固に連結した竿体ユニットを有しているので、少ない伸縮動作で竿体を適当な長さにすることができる。また、竿体ユニット内に他の竿体ユニットを出し入れする際において、竿体の竿元側端面と他の竿体の穂先側端面との接触によって生じる竿体の破損を、有効に防止することができる。
【図面の簡単な説明】
【図１】本発明の第１実施形態を採用した渓流竿の全体図。
【図２】図１の第１竿体と第２竿体（第１竿体ユニット）の連結部分の拡大断面図。
【図３】図１の第２竿体と第３竿体（第１竿体ユニットと第２竿体ユニットに該当する）の連結部分の拡大断面図。
【図４】本発明の第２実施形態を採用した渓流竿の第１竿体と第２竿体（第１竿体ユニット）の連結部分の拡大断面図。
【図５】図４の噛合部の拡大断面図。
【図６】本発明の第３実施形態を採用した渓流竿の第１竿体ユニットと第２竿体ユニットとの拡大断面図。
【図７】本発明の第３実施形態を採用した他の渓流竿の第１竿体ユニットと第２竿体ユニットとの拡大断面図。
【図８】本発明の第４実施形態を採用した渓流竿の第２竿体と第３竿体（第１竿体ユニットと第２竿体ユニットに該当する）の連結部分の拡大断面図。
【符号の説明】
１  第１竿体
２  第２竿体
３  第３竿体
４  第４竿体
２０  雌ネジ部
２１  雄ネジ部
３０  嵌合雌部
３１  嵌合雄部
４０  噛合部
６０，６１，７０，７１  弾性部材
１００  第１竿体ユニット
２００  第２竿体ユニット
【図１】
0003844156.tif 000002
【図２】
0003844156.tif 000003
【図３】
0003844156.tif 000004
【図４】
0003844156.tif 000005
【図５】
0003844156.tif 000006
【図６】
0003844156.tif 000007
【図７】
0003844156.tif 000008
【図８】
0003844156.tif 000009